(57)【要約】【課題】  取り外しが安全に行える流し台排水口の目皿を提供すると共に、余分なゴミの付着を防止でき容易に洗浄ができる流し台排水口のゴミかごを提供することである。【解決手段】  本考案の流し台排水口の目皿１は、金属材料で排水穴３を有した目皿本体２の縁部４に、目皿１の取り外しの際につまむためのつまみ部５を設ける。また、本考案の流し台排水口のゴミかご７は、金属材料にパンチング穴８を施して網かご状に一体的にゴミかご本体９を形成し、そのゴミかご本体８の上部に着脱時に使用される取っ手１０を設けて構成される。これにより、取り外しが容易で汚れが付きにくくする。【選択図】  図１
0003101544.tif 000002
【実用新案登録請求の範囲】
【請求項１】
金属材料で排水穴を有して形成され流し台排水口に着脱自在に取り付けられる目皿本体と、前記目皿本体の縁部に設けられ前記目皿の取り外しの際につまむためのつまみ部とを備えたことを特徴とする流し台排水口の目皿。
【請求項２】
流し台排水口の目皿の下方に配置され排水パイプに流れるゴミを受け止めて溜め込む流し台排水口のゴミかごにおいて、金属材料にパンチング穴が施され網かご状に一体的に形成されたゴミかご本体と、前記ゴミかご本体の上部に取り付けられ着脱時に使用される取っ手とを備えたことを特徴とする流し台排水口のゴミかご。
【考案の詳細な説明】
【技術分野】
【０００１】  本考案は、家庭の流し台で使用される流し台排水口の目皿およびゴミかごに関するものである。
【背景技術】
【０００２】  一般に、流し台等のシンクの排水口には目皿が配置され、その下方にゴミかごが取付けられている。目皿で一定以上の大きさのゴミを受け止め、ゴミかごで目皿で受け止められなかった小さめの野菜屑や残飯類を溜め込んで排水パイプの詰まりを防止している。目皿としては、ゴム製やポリエチレン製や金属製のものが使用されており、また、ゴミかごとしては網かごやステンレスかごなどが使用されている。【０００３】  金属製の目皿としては、ステンレスに排水穴を設けたものや金属製の網のものがある。金属製の目皿としては、目皿に排水穴を設けたものや、目皿の上部に回転軸を設け、その回転軸を中心に回動する蓋体に一定以上の重さのゴミが搭載されると蓋体が回動してゴミをゴミかごに排出するようにしたものがある（例えば、特許文献１参照）。
【特許文献１】  特開２００２−３３９４２６号公報（図１、図２）
【考案の開示】
【考案が解決しようとする課題】
【０００４】  ところが、目皿を洗浄するために目皿を取り外す際には目皿を手でつまんで取り外すことになるが、目皿が排水口の周辺部と密着して取り外し難い場合には、手でつまむ部分が特に設けられていないので、目皿本体をつまんで取り外ししなければならない。目皿がゴム製である場合には力を加えると変形するので、取り外しは比較的簡単にできるが、油等の汚れが付着し表面がヌルヌルする。一方、目皿が金属製である場合には、ゴム製のものに比べて表面がヌルヌルすることは少ないが、力を入れても変形しないので取り外しの際にはけがの原因ともなる。そこで、目皿の排水穴に箸やスプーンの柄等を差し込んで取り外したりしていた。【０００５】  また、ゴミかごはその本体は網かごで形成され、その上部は金属で縁取り部が形成されているので、本体である網かご部分のみならず、その網かご部分と縁取り部との継ぎ目の部分にも汚れが溜まり易い。【０００６】  本考案の目的は、取り外しが安全に行える流し台排水口の目皿を提供すると共に、余分なゴミの付着を防止でき容易に洗浄ができる流し台排水口のゴミかごを提供することである。
【課題を解決するための手段】
【０００７】  本考案の流し台排水口の目皿は、金属材料で排水穴を有して形成され流し台排水口に着脱自在に取り付けられる目皿本体と、前記目皿本体の縁部に設けられ前記目皿の取り外しの際につまむためのつまみ部とを備えたことを特徴とする。【０００８】  本考案の流し台排水口のゴミかごは、流し台排水口の目皿の下方に配置され排水パイプに流れるゴミを受け止めて溜め込む流し台排水口のゴミかごにおいて、金属材料でパンチング穴が施され網かご状に一体的に形成されたゴミかご本体と、前記ゴミかご本体の上部に取り付けられ着脱時に使用される取っ手とを備えたことを特徴とする。
【考案の効果】
【０００９】  本考案によれば、考案の目皿は金属製で構成されているので汚れの付着が少なく清潔であり、縁につまみ部を取り付けているので取り外しが容易であり取り外しの際にけがをすることがなく安全である。また、考案のゴミかごは網かごと縁取り部との間に継ぎ目がないので、清潔を保ち易く洗浄の手入れが楽である。
【考案を実施するための最良の形態】
【００１０】  以下、本考案の実施の形態を説明する。図１は本考案の流し台排水口の目皿の説明図であり、図１（ａ）は平面図、図１（ｂ）は側面図である。目皿１は排水口の大きさに合わせて目皿本体２が形成される。図１では、目皿本体２は円形に形成され、中央部には窪みを有し、その窪みに複数個の排水穴３を有したものを示している。目皿本体２は金属材料、例えばステンレスで構成され、その縁部４にはつまみ部５が設けられている。つまみ部５は縁部４に対してやや傾きを持って設けられ、目皿本体２を排水口から取り外す際につまみ易くしている。また、手でつまんだ際に滑らないように係止部６が設けられており、図１では係止部６として貫通孔が設けられた場合を示している。【００１１】  目皿１を排水口に取り付ける場合には、目皿１の縁部４が排水口の周囲部に搭載され、目皿１の窪み部が排水口の内部に位置するように配置される。これにより、排水は目皿１の窪み部に設けられた排水穴３を通って排水口に導かれ、一方、比較的大きなゴミは目皿１の窪み部に溜められる。目皿１を排水口から取り外すには、つまみ部５を手でつまんで排水口から目皿１を取り外し、その後に目皿１自体を持ち上げて目皿１に溜まった大きめのゴミを、例えば三角コーナーなどに捨てる。このように、つまみ部５を設けたので、容易に目皿１を排水口から取り外すことができる。【００１２】  次に、図２は本考案の流し台排水口のゴミかごの外観斜視図である。ゴミかご７は、金属材料に複数個のパンチング穴８が施されたゴミかご本体９と、このゴミかご本体９を持ち上げるための取っ手１０とから構成される。ゴミかご本体９は、金属材料として例えばステンレスが用いられ、パンチング穴８が形成されている。このパンチング穴８は排水穴としての役目を果たすことになる。そして、ゴミかご本体９は、パンチング穴８を有した金属材料で網かご状に一体的に形成され、ゴミかご本体９の上部はパンチング穴８を有した金属材料にて縁取り部１１が形成され、この縁取り部１１に取っ手１０が取り付けられている。【００１３】  図３は本考案の流し台排水口のゴミかごの他の一例の外観斜視図である。図２に示したゴミかごに対して、縁取り部１１およびゴミかご本体９の胴体上部はステンレスのままででありパンチング穴８を有していないものである。ゴミかご本体９の下部にパンチング穴８があればゴミの水切りはできるので、縁取り部１１およびゴミかご本体９の胴体上部はパンチング穴８を設けずステンレスのままとしている。これにより、パンチング穴８の個数が減るのでパンチング穴８へのゴミ詰まりによる清掃の手間が軽減できる。【００１４】  このように構成されたゴミかご７は、流し台排水口の目皿１の下方に配置される。すなわち、ゴミかご７は排水口に構成されたされたポケットに落とし込まれる。そして、その上部に目皿１が配置され、目皿１で一定以上の大きさのゴミを受け止め、ゴミかご７で目皿１で受け止められなかった小さめのゴミを受け止めて排水パイプの詰まりを防止する。次に、ゴミかご７に溜まったゴミを取り出すには、目皿１を取り外した後に取っ手１０を持って持ち上げ、よく水を切ってからゴミ箱へ廃棄する。【００１５】  このように、ゴミかご本体９はパンチング穴８が施された金属材料を網かご状に一体的に形成しているので、網かご部分と縁取り部１１との継ぎ目の部分がなく、汚れが付着し難い構造となっている。
【図面の簡単な説明】
【００１６】
【図１】  本考案の流し台排水口の目皿の説明図。
【図２】  本考案の流し台排水口のゴミかごの外観斜視図。
【図３】  本考案の流し台排水口のゴミかごの他の一例の外観斜視図。
【符号の説明】
【００１７】１…目皿、２…目皿本体、３…排水穴、４…縁部、５…つまみ部、６…係止部、７…ゴミかご、８…パンチング穴、９…ゴミかご本体、１０…取っ手、１１…縁取り部
【図１】
0003101544.tif 000003
【図２】
0003101544.tif 000004
【図３】
0003101544.tif 000005
【手続補正書】
【提出日】平成15年12月15日(2003.12.15)
【手続補正１】
【補正対象書類名】実用新案登録請求の範囲
【補正対象項目名】全文
【補正方法】変更
【補正の内容】
【実用新案登録請求の範囲】
【請求項１】
金属材料で排水穴を有して形成され流し台排水口に着脱自在に取り付けられる目皿本体と、前記目皿本体の縁部に設けられ前記目皿の取り外しの際につまむためのつまみ部とを備えたことを特徴とする流し台排水口の目皿。
【請求項２】
請求項１に記載された目皿と共に使用されるゴミかごであって、流し台排水口の目皿の下方に配置され、金属材料にパンチング穴が施され網かご状に一体的に形成されたゴミかご本体と、前記ゴミかご本体の上部に取り付けられ着脱時に使用される取っ手とを備えたことを特徴とする流し台排水口のゴミかご。
【手続補正２】
【補正対象書類名】明細書
【補正対象項目名】０００８
【補正方法】変更
【補正の内容】
【０００８】  本考案の流し台排水口のゴミかごは、請求項１に記載された目皿と共に使用されるゴミかごであって、流し台排水口の目皿の下方に配置され、金属材料にパンチング穴が施され網かご状に一体的に形成されたゴミかご本体と、前記ゴミかご本体の上部に取り付けられ着脱時に使用される取っ手とを備えたことを特徴とする。